(57)【要約】【課題】竿に対する集魚灯光源の着脱を容易にする集魚灯光源取付機構、集魚灯光源装置及び集魚灯光源設備の提供。【解決手段】集魚灯光源設備９０の集魚灯光源装置９１の集魚灯光源取付機構は、多数のＬＥＤを基板に実装してなる集魚灯光源本体９を竿８に取付けるもので、竿に取付けられる竿側支持構造体２が竿側係合構造部２０を備え、集魚灯光源本体に取付けられる光源側支持構造体３が光源側係合構造部４０を備え、竿側及び光源側係合構造部２０，４０のうちの一方の係合構造部４０が竿の延在方向Ｘに延びる嵌合凹部４４を備え、竿側及び光源側係合構造部のうちの他方の構造部２０が嵌合凹部４４に対して該嵌合凹部の延在方向Ｘに変位されて嵌合・嵌合解除される胴状部２１を備え、胴状部と嵌合凹部とが所定嵌合位置Ｐ１にある状態において胴状部の嵌合凹部に対する更なる嵌入及びその解除を禁止する係止手段７が設けられている。【選択図】図１
2014200175.tif 000002
【特許請求の範囲】
【請求項１】
多数の発光ダイオードを基板に実装してなる集魚灯光源本体を竿に取付けるための集魚灯光源取付機構であって、
竿に取付けられる竿側支持構造体と、集魚灯光源本体に取付けられる光源側支持構造体とを有し、
竿側支持構造体が竿側係合構造部を備え、光源側支持構造体が竿側係合構造部に係合される光源側係合構造部を備え、
竿側係合構造部及び光源側係合構造部のうちの一方の係合構造部が竿の延在方向に延びる嵌合凹部を備え、
竿側係合構造部及び光源側係合構造部のうちの他方の構造部が前記一方の係合構造部の嵌合凹部に対して該嵌合凹部の延在方向に変位されて嵌合・嵌合解除される胴状部を備え、
前記胴状部と前記嵌合凹部とが所定嵌合位置にある状態において前記胴状部の前記嵌合凹部に対する更なる嵌入及びその解除を禁止する係止手段が設けられている集魚灯光源取付機構。
【請求項２】
前記胴状部と前記嵌合凹部とが所定嵌合位置にある状態において、前記嵌合凹部の延在方向に交差する向きに前記嵌合凹部の形成部及び前記胴状部を貫通する交差貫通孔が形成されるように、前記嵌合凹部の形成部及び前記胴状部が前記交差貫通孔を構成する第一及び第二貫通孔部を備え、該交差貫通孔に係止ピンが差し込まれる請求項１に記載の集魚灯光源取付機構。
【請求項３】
前記竿側係合構造部及び前記光源側係合構造部が、前記嵌合凹部の一端に近接した領域に竿への取付部及び前記集魚灯光源本体への取付部を備え、前記嵌合凹部の他端に近接した領域に前記交差貫通孔を備える請求項２に記載の集魚灯光源取付機構。
【請求項４】
前記嵌合凹部の横断面が概ね台形状であって、該台形の短い方の辺の部分が開口されている請求項１から３までのいずれか一つの項に記載の集魚灯光源取付機構。
【請求項５】
前記一方の係合構造部が一体物からなる請求項１から４までのいずれか一つの項に記載の集魚灯光源取付機構。
【請求項６】
前記一方の係合構造部の前記一端に前記嵌合凹部の端部を塞いで前記係止部を構成する係止板が固定されている請求項１から５までのいずれか一つの項に記載の集魚灯光源取付機構。
【請求項７】
前記一方の係合構造部が前記光源側係合構造部からなり、前記他方の構造部が竿側係合構造部からなる請求項１から６までのいずれか一つの項に記載の集魚灯光源取付機構。
【請求項８】
請求項１から７までのいずれか一つの項に記載の集魚灯光源取付機構を備え、該集魚灯光源取付機構のうち光源側支持構造体が集魚灯光源本体に取付けられてなる集魚灯光源装置。
【請求項９】
請求項１から７までのいずれか一つの項に記載の集魚灯光源取付機構を備え、該集魚灯光源取付機構のうち光源側支持構造体が集魚灯光源本体に取付けられ、該集魚灯光源取付機構のうち竿側支持構造体が竿に取付けられてなる集魚灯光源設備。
【請求項１０】
請求項１から７までのいずれか一つの項に記載の集魚灯光源取付機構、請求項８に記載の集魚灯光源装置又は請求項９に記載の集魚灯光源設備において、集魚灯光源が発光ダイオードからなる。
【発明の詳細な説明】
【技術分野】
【０００１】
本発明は、集魚灯光源取付機構、集魚灯光源装置及び集魚灯光源設備に係り、より詳しくは、発光ダイオード（以下では、「ＬＥＤ」ともいう）からなる集魚灯光源に用いられるに適した集魚灯光源取付機構、集魚灯光源装置及び及び集魚灯光源設備に係る。
【０００２】
この明細書において、集魚灯光源装置とは、集魚灯光源が竿に取付可能に構成されたものをいい、集魚灯光源設備とは、集魚灯光源を竿に取付けてなるものの全体をいう。
【背景技術】
【０００３】
サンマ漁等において、漁船の側部に立てた竿の先端側部分に集魚灯光源装置ないし集魚灯具を取付けてなる集魚灯光源設備は古くから知られている。
【０００４】
この種の集魚灯光源設備においては、従来は、集魚灯光源としてメタルハライドランプ等が用いられていたところ、エネルギコストの低減等を考慮して、近年、集魚灯光源として従来のランプの代わりにＬＥＤが提案され用いられるようになってきている（例えば、特許文献１）。ＬＥＤを集魚灯光源として用いるためには、一本の竿に多数のＬＥＤを取付ける必要があり、基板に多数のＬＥＤを実装してなるＬＥＤ集魚灯光源ないしＬＥＤ光源本体は全体として例えば２０ｋｇ程度の重さになり得る。
【０００５】
具体的には、従来は、図１０に示したように、多数のＬＥＤが基板に実装されてなるＬＥＤ光源本体ないしＬＥＤ集魚灯具１１０の背面１１１に集魚灯光源取付機構１２０の一部を構成する光源側装着具１３０を取付けておき、更に、図１１に示したように、補助取付具１４０を竿１５０の背後に配置して、光源側装着具１３０と補助取付具１４０とを大きなボルト１６１及びナット１６２によって締着することにより、ＬＥＤ集魚灯具１１０を竿１５０の先端側の所望の部位１５１に取付けている。
【０００６】
ここで、光源側装着具１３０は、板状基部１３１と、Ｕ字状脚部１３２と、Ｕ字状保持部１３３及びその両端の側方突出板状部１３４，１３４からなる竿装着部１３５とを備える。Ｕ字状脚部１３２は「Ｕ」の底部１３２ａで板状基部１３１の対向表面部に溶接等により固着され、Ｕ字状保持部１３３はその底部の両縁１３３ａ，１３３ａでＵ字状脚部１３２の先端部１３２ｂ，１３２ｂに溶接等により固着されている。光源側装着具１３０は、更に、板状基部１３１の両端部近傍において、複数のボルト１３６により、ＬＥＤ集魚灯具１１０の背面１１１側に強固に螺着されている。
【０００７】
ＬＥＤ集魚灯具１１０は、図１１に示したように、その背面１１１側に取付けられた上述のような光源側装着具１３０のＵ字状保持部１３３の凹部１３３ｂにグラスファイバー（ガラス繊維）等からなる竿１５０を受容する状態で補助取付具１４０が竿１５０の背後から竿装着部１３５に取付けられることにより、ＬＥＤ集魚灯具１１０の竿１５０への固定が行われている。
【０００８】
すなわち、補助取付具１４０は、竿装着部１３５のＵ字状保持部１３３と同様なＵ字状保持部１４１及び竿装着部１３５の側方突出板状部１３４，１３４と同様な側方突出板状部１４２，１４２を備え、Ｕ字状保持部１４１の凹部１４３に竿１５０の反対側領域を受容する状態で配置され、補助取付具１４０の両側の側方突出板状部１４２，１４２が竿装着部１３５の側方突出板状部１３４，１３４に対面する状態で、各板状部１４２，１３４の孔に挿通された太いボルト１６１及びナット１６２により、相互に強固に螺着固定されている。
【０００９】
例えば、サンマ漁用の漁船の場合、サンマの漁期が終ると、従来は、翌年の漁期まで、夫々の船小屋や倉庫に保管していた。ところが、倉庫等は一般に海岸近くにあって湿気や塩分の多い環境ないし雰囲気である。このような雰囲気下では、ＬＥＤを含む集魚灯具がこれにより劣化したり損傷を受ける虞れがあることから、サンマ漁の如き漁の漁期以外には、ＬＥＤを含む集魚灯具を海岸近くから遠く離れたところに移動させておくことが望まれる。
【００１０】
その場合、ＬＥＤ集魚灯具１１０を竿１５０から取外すために、太いボルト１６１及びナット１６２による螺着を解除して補助取付具１４０を取外す必要がある。補助取付具１４０と光源側装着具１３０との結合は、ボルト・ナットの螺合であるから容易に解除されると期待されるところ、実際には、ボルト１６１及びナット１６２はボルト１６１の軸の外径が１０数ｍｍ以上あって、該ボルト１６１及びナット１６２の締付トルク自体がＬＥＤ集魚灯具１１０の竿１５０への取付力になる構造であることから、該ボルト１６１及びナット１６２の締付トルクを相当大きくしておく必要があり、その螺合解除は容易でない。しかも、一つのＬＥＤ集魚灯具１１０を竿１５０から取外すのに、数組のボルト１６１及びナット１６２を外す必要があるだけでなく、通常、一つの竿１５０に複数のＬＥＤ集魚灯具１１０が取付けられているので、一つの竿１５０からＬＥＤ集魚灯具１１０を取外すのにかなりの時間を要する。加えて、一つの漁船には通常１０本以上、典型的には数１０本の竿１５０が取付けられているので、一つの漁船の全ての竿からＬＥＤ集魚灯具１１０を取外すには、無視し難い時間、例えば、丸一日程度又はそれ以上の時間がかかる。
【先行技術文献】
【特許文献】
【００１１】
【特許文献１】特開２００３−１３４９６７号公報
【発明の概要】
【発明が解決しようとする課題】
【００１２】
本発明は、前記した点に鑑みなされたものであって、その目的とするところは、竿に対する集魚灯光源の着脱を容易にする集魚灯光源取付機構、集魚灯光源装置及び集魚灯光源設備を提供することにある。
【課題を解決するための手段】
【００１３】
本発明の集魚灯光源取付機構は、前記目的を達成すべく、多数の発光ダイオードを基板に実装してなる集魚灯光源本体を竿に取付けるための集魚灯光源取付機構であって、竿に取付けられる竿側支持構造体と、集魚灯光源本体に取付けられる光源側支持構造体とを有し、竿側支持構造体が竿側係合構造部を備え、光源側支持構造体が竿側係合構造部に係合される光源側係合構造部を備え、竿側係合構造部及び光源側係合構造部のうちの一方の係合構造部が竿の延在方向に延びる嵌合凹部を備え、竿側係合構造部及び光源側係合構造部のうちの他方の構造部が前記一方の係合構造部の嵌合凹部に対して該嵌合凹部の延在方向に変位されて嵌合・嵌合解除される胴状部を備え、前記胴状部と前記嵌合凹部とが所定嵌合位置にある状態において前記胴状部の前記嵌合凹部に対する更なる嵌入及びその解除を禁止する係止手段が設けられている。
【００１４】
本発明の集魚灯光源取付機構では、「竿側係合構造部及び光源側係合構造部のうちの一方の係合構造部が竿の延在方向に延びる嵌合凹部を備え、竿側係合構造部及び光源側係合構造部のうちの他方の構造部が前記一方の係合構造部の嵌合凹部に対して該嵌合凹部の延在方向に変位されて嵌合・嵌合解除される胴状部を備える」ので、竿側係合構造部と光源側係合構造部とが、嵌合凹部及び胴状部において嵌合・嵌合解除され得る。また、本発明の集魚灯光源取付機構では、「竿に取付けられる竿側支持構造体が竿側係合構造部を備え、光源側支持構造体が集魚灯光源本体に取付けられる光源側係合構造部を備え、竿側係合構造部に係合される」ので、竿及び集魚灯光源本体（集魚灯具）が竿側係合構造部及び光源側係合構造部を介して相互に嵌合により固定され該嵌合解除により短時間で容易に分離され得る。また、本発明の集魚灯光源取付機構では、「前記胴状部と前記嵌合凹部とが所定嵌合位置にある状態において前記胴状部の前記嵌合凹部に対する更なる嵌入及びその解除を禁止する係止手段が設けられている」ので、所定嵌合状態が安定に保持され易い。
【００１５】
本発明の集魚灯光源取付機構では、典型的には、前記胴状部と前記嵌合凹部とが所定嵌合位置にある状態において、前記嵌合凹部の延在方向に交差する向き{横向き）に前記嵌合凹部の形成部及び前記胴状部を貫通する交差貫通孔が形成されるように、前記嵌合凹部の形成部及び前記胴状部が前記交差貫通孔を構成する第一及び第二貫通孔部を備え、該交差貫通孔に係止ピンが差し込まれる。
【００１６】
その場合、係止手段による嵌合状態の保持が安定に行われ易い。
【００１７】
本発明の集魚灯光源取付機構では、典型的には、前記竿側係合構造部及び前記光源側係合構造部が、前記嵌合凹部の一端に近接した領域に竿への取付部及び前記集魚灯光源本体への取付部を備え、前記嵌合凹部の他端に近接した領域に前記交差貫通孔を備える。
【００１８】
その場合、係止ピンの挿入や固定等の係止ピンの取扱いが容易に且つ迅速に行われ易い。
【００１９】
本発明の集魚灯光源取付機構は、典型的には、前記嵌合凹部の横断面が概ね台形状であって、該台形の短い方の辺の部分が開口されている。
【００２０】
その場合、胴状部が嵌合凹部から凹部の開口側に外れる虞れがなく、胴状部が嵌合凹部内に保持され得る。また、全周が閉じた穴ではなく一側が開口した凹部なので、異物が内部に入って嵌合やその解除が妨げられる虞れが低い。なお、嵌合凹部の横断面の最大径部が凹部の開口端以外の奥の部分になっていて凹部の延在方向と交差する方向に嵌合が外れる虞れがない限り、横断面形状は、台形状の代わりに、他の多角形状でも、楕円形状でも、円形状でもよい。また、そのような横断面形状の凹部の内表面に胴状部が内接し得る限り、胴状部の横断面形状が凹部の横断面形状とは異なっていてもよい。
【００２１】
本発明の集魚灯光源取付機構では、典型的には、前記一方の係合構造部が一体物からなる。
【００２２】
その場合、比較的小型であっても大きな負荷ないし荷重に耐え得るように形成され易い。なお、一体物で形成する場合、その成形を容易にすべく、細部を除く大まかな形状物が引抜加工によって形成されるようにしておくことが好ましい。
【００２３】
本発明の集魚灯光源取付機構では、典型的には、前記一方の係合構造部の前記一端に前記嵌合凹部の端部を塞いで前記係止部を構成する係止板が固定されている。
【００２４】
その場合、係止機能を果たす構造物が製造され易い。
【００２５】
本発明の集魚灯光源取付機構では、典型的には、前記一方の係合構造部が前記光源側係合構造部からなり、前記他方の構造部が竿側係合構造部からなる。
【００２６】
その場合、安定な構造体を製造し易い。但し、その代わりに、前記一方の係合構造部が前記竿側係合構造部からなり、前記他方の構造部が前記光源側係合構造部からなっていてもよい。
【００２７】
本発明の集魚灯光源装置は、前記目的を達成すべく、上述のような集魚灯光源取付機構を備え、該集魚灯光源取付機構のうち光源側支持構造体が集魚灯光源本体に取付けられてなる。
【００２８】
本発明の集魚灯光源設備は、前記目的を達成すべく、上述のような集魚灯光源取付機構を備え、該集魚等交点取付機構のうち光源側支持構造体が集魚灯光源に取付けられ、該集魚等交点取付機構のうち竿側支持構造体が竿に取付けられてなる。
【００２９】
本発明の集魚灯光源取付機構、集魚灯光源装置又は集魚灯光源設備では、典型的には、集魚灯光源が発光ダイオードからなる。
【図面の簡単な説明】
【００３０】
【図１】本発明の好ましい一実施例の集魚灯光源取付機構を備えた本発明の好ましい一実施例の集魚灯光源装置を有する本発明の好ましい一実施例の集魚灯光源設備を示したもので、（ａ）は（ｃ）のＩＡ−ＩＡ線断面説明図。（ｂ）は集魚灯光源取付機構の竿側支持構造体の光源係合部に対する光源側支持構造体の竿係合部の嵌装途中の状態を示した側面説明図、（ｃ）はは集魚灯光源取付機構の竿側支持構造体の光源係合部に対して光源側支持構造体の竿係合部が嵌装された状態を示した（ｂ）と同様な側面説明図。
【図２】図１の竿側支持構造体の本体の斜視説明図。
【図３】図２の竿側支持構造体を示したもので、（ａ）は平面説明図、（ｂ）は（ａ）の矢印ＩＩＩＡ方向に見た側面（正面又は上面）説明図、（ｃ）は（ｂ）のＩＩＩＣ−ＩＩＩＣ線断面説明図、（ｄ）は（ｂ）のＩＩＩＤ−ＩＩＩＤ線断面説明図、（ｅ）は（ｂ）のＩＩＩＥ−ＩＩＩＥ線断面説明図
【図４】図３の竿側支持構造体を補助取付具と共に竿に取り付けた状態を示したもので、（ａ）は正面説明図、（ｂ）は（ａ）のＩＶＢ−ＶＩＢ線断面説明図（但し係止板を取外した状態）（ｃ）は一つの竿に二つの竿側支持構造体を取り付けた状態を側面から示した説明図。
【図５】図１の光源側支持構造体の斜視説明図。
【図６】図５の光源側支持構造体を示したもので、（ａ）は正面説明図、（ｂ）は底面説明図、（ｃ）は右側面説明図。
【図７】集魚灯光源本体に図５の光源側支持構造体を取り付けた状態を示したもので、（ｂ）は（ａ）の矢印ＶＩＩＢ方向から見た側面説明図、（ｃ）は（ａ）のＶＩＩＣ−ＶＩＩＣ線断面説明図、（ｄ）は（ａ）の矢印ＶＩＩＤ方向から見た側面（上側面）説明図。
【図８】図５の光源側支持構造体が取り付けられる集魚灯光源本体を示したもので、（ａ）は背面説明図、（ｂ）は（ａ）の矢印ＶＩＩＩＢ方向から見た側面説明図、（ｃ）は（ａ）のＶＩＩＩＣ−ＶＩＩＩＣ線断面説明図、（ｄ）は（ａ）の矢印ＶＩＩＩＤ方向から見た側面（上側面）説明図。
【図９】図１の集魚灯光源設備を多数装備した漁船の斜視説明図。
【図１０】従来のＬＥＤ集魚灯光源本体について竿への装着部を取り付けた状態で示した背面側斜視説明図。
【図１１】従来のＬＥＤ集魚灯光源本体を竿に取り付けた状態において該取付部の状態を示した斜視説明図。
【発明を実施するための形態】
【００３１】
本発明の好ましい一実施の形態を添付図面に示した好ましい一実施例に基づいて説明する。
【実施例】
【００３２】
本発明の好ましい一実施例の集魚灯光源取付機構１は、図２〜図４に示した竿側支持構造体２と、図５から図７に示した光源側支持構造体３とを有する。竿側支持構造体２及び光源側支持構造体３は、例えば、アルミニウム合金からなる。放熱性が高く、海水や潮風その他の環境に耐え得、且つ重量（軽さ）の観点からの要求を満たし得る限り他の材料でもよい。
【００３３】
竿側支持構造体２は、図４に示したように、竿側支持構造体本体４と補助取付具５とからなり、竿側支持構造体本体４は、図２及び図３の（ａ）〜（ｅ）に示したように、竿取付部１０と竿側係合構造部としての光源係合部２０とを一体的に有する。ここで、竿取付部１０及び光源係合部２０の大まかな形状部分は例えば引抜加工によって一気に形成され、細部は後で加工成形される。但し、他の手段で製造されてもよい。
【００３４】
竿取付部１０は、部分円筒状の保持部１１と、該部分円筒状保持部１１の両端１２Ａ，１２Ｂ（総称するとき又は両者を区別しないときは符号１２で表す）から外向きに連続的に延在した側方突出板状部１３Ａ，１３Ｂ（総称するとき又は両者を区別しないときは符号１３で表す）とを有する。側方突出板状部１３Ａ，１３Ｂには、ボルト挿通孔１４Ａ，１４Ｂ（総称するとき又は両者を区別しないときは符号１４で表す）が形成されている。竿取付部１０の部分円筒状保持部１１の母線の延在方向Ｘは竿８（図４等）の延在方向に一致する。
【００３５】
竿側係合構造部としての光源係合部２０は、横断面が台形状の細長い胴状体２１からなる。胴状体２１は、一端２１ａ側において、台形Ｂの短辺側側面２１ｂで部分円筒状保持部１１の中央部１５に一体的につながり、胴状体２１のうち保持部１１の中央部１５と一体化された部位２１ｅから端部２１ａとは反対側の端部２１ｆまで保持部１１の母線の延在方向Ｘと平行な方向に延在した延在部２２を有する。胴状体２１には、台形状の貫通孔２３が形成され、胴状体２１は横断面が台形状の筒状体２４になっている。胴状体２１ないし筒状体２４の延在部２２には、台形の斜辺ないし斜面２１ｃ，２１ｄを横向きに直線状に貫通する係止ピン挿通孔２５が形成されている。胴状体２１ないし筒状体２４には、端部２１ａ側において、横断面サイズが小さくなるように、テーパ２６が付けられている。
【００３６】
図４の（ａ）〜(ｃ)に示したように、補助取付具５は、竿側支持構造体２の竿取付部１０と概ね同様に構成されている。より詳しくは、補助取付具５は、部分円筒状保持部３１と、該部分円筒状保持部３１の両端３２Ａ，３２Ｂ（総称するとき又は両者を区別しないときは符号３２で表す）から外向きに連続的に延在した側方突出板状部３３Ａ，３３Ｂ（総称するとき又は両者を区別しないときは符号３３で表す）とを有する。補助取付具５の部分円筒状保持部３１は、竿取付部１０の部分円筒状保持部１１と概ね同じ形状を有する。側方突出板状部３３Ａ，３３Ｂには、ボルト挿通孔３４Ａ，３４Ｂ（総称するとき又は両者を区別しないときは符号３４で表す）が形成されている。補助取付具５の部分円筒状保持部３１の母線の延在方向Ｘは竿８の延在方向に一致する。また、補助取付具５の側方突出板状部３３Ａ，３３Ｂは、竿取付部１０の側方突出板状部１３Ａ，１３Ｂと同じ形状を有する。
【００３７】
竿側支持構造体本体４及び補助取付具５からなる竿側支持構造体２の竿８への取付けないし装着は、次のようにして行う。なお、竿８は、曲げ等に対する機械的強度及び重量（軽さ）等を考慮して、繊維強化プラスチックからなり、繊維は典型的にはガラス繊維からる。但し炭素繊維の如き他の繊維であってもよい。また、場合によっては、繊維強化プラスチック以外の材料からなっていてもよい。竿８は、例えば、６ｍ程度〜１０ｍ程度の長さである。但し、重量（好ましくは３〜５ｋｇ程度、但し、より重くても軽くてもよい）や曲げその他に対する機械的強度等が確保され得る限り、より長くてもより短くてもよい。
【００３８】
竿側支持構造体本体４及び補助取付具５の部分円筒状保持部１１及び３１により竿８の先端近傍の所望部位８ａを挟むように竿側支持構造体本体４及び補助取付具５を対向配置し、竿側支持構造体本体４及び補助取付具５の側方突出板状部１３，３３のボルト孔１４，３４にボルトを挿通し、ボルトの突出端にナットを螺合して、ボルト・ナットを締め付けることにより行われる。
【００３９】
装着状態において、竿８の外周面８ｂと竿側支持構造体本体４の胴状体２１のうち台形の長辺ないし底辺形成面２１ｇとは僅かな間隙を介して対面しており、竿８の外表面８ｂ自体が竿側支持構造体本体４の胴状体２１を実際上支え得る。
【００４０】
装着状態において、竿８の外周面８ｂと竿側支持構造体本体４の胴状体２１のうち台形の斜辺形成面２１ｃ，２１ｄとの間には、楔状の空間が形成されている。
【００４１】
光源側支持構造体３は、該光源側支持構造体本体６と係止板７とを有し、光源側支持構造体本体６は、光源側係合構造部としての竿係合部４０と光源取付部５０とを一体的に有する。ここで、竿係合部４０及び光源取付部５０の大まかな形状部分は例えば引抜加工によって一気に形成され、細部は後で加工成形される。但し、他の手段で製造されてもよい。
【００４２】
光源側係合構造部としての竿係合部４０は、底板部４１と、該底板部４１の両縁４２Ａ，４２Ｂ（総称するとき又は両者を区別しないときは符号４２で表す）から立ち上がった両側の側壁部４３Ａ，４３Ｂ（総称するとき又は両者を区別しないときは符号４３で表す）とを有する。底板部４１及び両側の側壁部４３，４３は、全体としてＸ方向に延在する凹部４４を形成している。より詳しくは、側縁部４３Ａ，４３Ｂの内面４５Ａ，４５Ｂ（総称するとき又は両者を区別しないときは符号４５で表す）及び底板部４１の内面４６によって規定される凹部４４の横断面は台形状で、光源係合部２０の胴状体２１ないし筒状体２４の台形状断面の外表面と概ね一致し（厳密には、筒状体２４の外表面により形成される台形よりも僅かに大きく）、該凹部４４に光源係合部２０の胴状体２１ないし筒状体２４がＸ１，Ｘ２方向に摺動可能に丁度嵌合される。竿係合部４０の一端４０ａ（竿係合部４０を構成する底板部４１及び側壁部４３，４３の一端４１ａ，４３ａ）には、概ね長方形状の係止板７が固定されている。この例では、固定は、ボルト６１によってなされている。
【００４３】
側壁部４３Ａ，４３Ｂの他端４３ｂの近傍には、一直線にピン係合孔４７Ａ，４７Ｂ（総称するとき又は両者を区別しないときは符号４７で表す）が形成されている。なお、側壁４３Ａ，４３Ｂの外側面４８Ａ，４８Ｂはこの例では、底板部４１に対して直角に立ち上がっている。但し、開口側より底板側の方が大きい断面台形状の凹部４４をなすべく内面４５が底板部４１に近接する程幅方向外側に位置するように内面４５，４５が傾斜していることに伴い側壁部４３Ａ，４３Ｂのうち底板部４１との接続部に応力が集中するのを避け得るように、外側面４８Ａ，４８Ｂのうち底板部４１との接続部には、底板部４１に近接する程肉厚が大きくなるように、外側に拡がった傾斜面４８ａＡ，４８ａＢ（総称するとき又は両者を区別しないときは符号４８ａで表す）が形成されている。
【００４４】
光源取付部５０は、一対の板状部５１Ａ，５１Ｂ（総称するとき又は両者を区別しないときは符号５１で表す）からなる。板状部５１Ａ，５１Ｂは、底板部４１の両縁４２Ａ，４２Ｂないし側壁部４３Ａ，４３Ｂの外表面（外側面）４８Ａ，４８ＢからＸ方向とは直交する方向Ｙに延在している。各板状部５１は、一方の側縁５１ａが竿係合部４０の一端４０ａ（底板部４１や側壁部４３の一端４１ａ，４３ａ）と面一である。板状部５１のＸ方向の長さ（幅）Ｗは、竿係合部４０のＸ方向の長さよりも短く、底板部４１及び側壁部４３，４３のうち端部４３ｂ側の部分４１ｆ及び４３ｆ，４３ｆは、板状部５１，５１の他方の側縁５１ｂよりもＸ２方向に突出している。この部分４１ｆ，４３ｆ，４３ｆを以下では、突出部４１ｆ，４３ｆ，４３ｆともいう。なお、前述のピン係合孔４７，４７が形成されているのは、竿係合部４０の側壁部４３，４３のうち、この突出部４３ｆ，４３ｆである。
【００４５】
両側板状部５１，５１の外表面５１ａは底板部４１の外表面４１ｃと面一であって全体として光源側支持構造体本体６の平面状の外表面６ａをなす。ここでは、被取付部の包絡面が平面であることを想定しているけれども、被取付部の包絡面が単純な平面とは異なる場合には、被取付部の包絡面に対して相補的な包絡面になるように、板状部５１，５１の外表面５１ａ及び底板部４１の外表面４１ｃが形成されていればよい。板状部５１の厚さは底板部４１の厚さと実際上同程度である。板状部５１，５１には、ボルト挿通孔５３，５３が形成されている。板状部５１の幅（Ｘ方向の長さ）は、竿取付部１０の部分円筒状の保持部１１や側方突出板状部１３の幅（Ｘ方向長さ）と概ね同じであり、板状部５１Ａ，５１Ｂの延在端５４Ａ，５４Ｂ（総称するとき又は両者を区別しないときは符号５４で表す）間の長さは、竿取付部１０の部分円筒状の保持部１１や側方突出板状部１３の長さ（Ｘ方向に対して直角な方向の長さ）と概ね同じである。
【００４６】
光源側支持構造体３が取り付けられるべき集魚灯光源本体ないし集魚灯具９は、図８の（ａ）〜（ｄ）に示したように、例えば９Ｗ程度のＬＥＤ（図８では図示せず（図９の符号７８参照））を多数個（例えば６０個程度）実装した基板７０を備えると共に、該ＬＥＤ実装基板７０の背面７１側にＸ方向に平行に延びた多数の放熱フィン７２を備える。これにより、Ｘ方向の空気の流れによる放熱を可能にしている。また、放熱フィン７２には高さの低い低フィン部７３があり、該低フィン部７３はＹ方向に一列に並んでおり、Ｙ方向の空気の流れをある程度許容することにより、Ｙ方向の空気の流れに伴う放熱も行われ得る。光源本体９のうち放熱フィン７２を含むフレーム部分７７は、例えば、アルミニウム合金からなる。放熱性が高く、海水や潮風その他の環境に耐え得、且つ重量（軽さ）の観点からの要求を満たし得る限り他の材料でもよい。なお、集魚灯光源本体９は、竿８への着脱のための人が容易に持ち上げ得るように軽いことが好ましく、例えば、２０ｋｇ程度以下であることが好ましく、より好ましくは１０ｋｇ程度以下（例えば、５〜１０ｋｇ程度）になるように、サイズやフレーム等の材質が選択されることが望ましい。前面側の枠７９（例えば大きな格子状の枠）は持ち上げその他のために用いられる。
【００４７】
背面７１には、更に、フィン７２よりも多少高く突出した二組の基台部ないしランド部７４ｕＡ，７４ｕＢ（総称するとき又は両者を区別しないときは符号７４ｕで表す）及び７４ｄＡ，７４ｄＢ（総称するとき又は両者を区別しないときは符号７４ｄで表す）が形成され、ランド部７４ｕ，７４ｄにはボルト取付穴７５ｕ，７５ｄが形成されている。両側のランド部７４ｕ，７４ｕの穴７５ｕ，７５ｕの位置は、光源側支持構造体３の本体６の光源取付部５０，５０のボルト挿通孔５３，５３の位置と一致している。
【００４８】
従って、図７の（ａ）〜(ｄ)に示したように、ランド部７４ｕ，７４ｕの表面７６ｕ，７６ｕに光源取付部５０，５０の底面５１ｃ，５１ｃが当接するように光源側支持構造体３を光源本体９の背面７１上に載置し、ボルト６３をボルト挿通孔５３及びボルト取付穴７５ｕ，７５ｕに装着することにより、光源側支持構造体３が光源本体９に取付けられる。ここで、光源側支持構造体３は、係止板７が光源本体９の上端に位置し、突出部４１ｆ，４３ｆが光源本体９の下部に位置する向きに、光源本体９に対して取付けられる。なお、同様にして、光源本体９の背面７１のランド部７４ｄ，７４ｄの表面７６ｄ，７６ｄ上にも、光源側支持構造体３の光源取付部５０，５０を載置し、想像線で示したようにボルト６３をボルト挿通孔５３及びボルト取付穴７５ｄ，７５ｄに装着することにより、光源側支持構造体３が光源本体９の下側のランド部７４ｄ、７４ｄのところに取付けられる。なお、ランド部７４ｕ，７４ｄや表面７６ｄ，７６ｕを総称するとき又は区別しないときには符号７４や７６で示す。
【００４９】
次に、以上の如く構成された竿側支持構造体２及び光源側支持構造体３からなる集魚灯光源取付機構１を介した集魚灯光源本体９の竿８への装着及び装着解除（取外し）について説明する。
【００５０】
まず、図４の（ａ）〜（ｃ）に関連して既に説明した通り、竿側支持構造体２の本体４及び補助取付具５の部分円筒状保持部１１，３１で竿８の所望部位を挟み太いボルト６５をボルト挿通孔１４，３４に通しナット６７で締め付けることにより、竿側支持構造体２を竿８の先端側の所望部位に取り付ける。本件では、各種のボルト・ナット等による締付箇所の図示の簡明化のために、ワッシャ等は図示していないけれども所望に応じて設けられている。竿側支持構造体２の数及び配置は、装着しようとする集魚灯光源本体９の大きさ等により異なり得る。ここで図７等に示した例では、一つの集魚灯光源本体９が二つの竿側支持構造体２を介して竿８に装着される。また、一つの竿８に装着する集魚灯光源本体９の数や種類は、竿８の長さや太さや使用箇所その他で異なり得る。
【００５１】
また、図７の（ａ）〜(ｄ)に関連して既に説明した通り、光源側支持構造体３を集魚灯光源本体９のランド部７４，７４に取付ける。図７に示した例では、一対のランド部７４，７４に一つの光源側支持構造体３を取付け、一つの集魚灯光源本体９には、二対のランド部７４，７４を介して二つの光源側支持構造体３が取付けられる。。
【００５２】
竿８に取付けられた竿側支持構造体２に対する集魚灯光源本体９に取付けられた光源側支持構造体３の装着は、図１の（ａ）〜（ｃ）に示したように行われる。
【００５３】
まず、図１の（ｂ）に示したように、集魚灯光源本体９に取付けられた光源側支持構造体３の竿係合部４０の凹部４４のうち下側に位置する突出部４１ｆ，４３ｆのところにある凹部領域４４ｆ（各種部位については図５等参照）を竿８に取付けられた竿側支持構造体２の光源係合部２０の筒状体２４に先端２１ａ側からＸ２方向に嵌装する。先端２１ａ側には先端２１ａの端に近付く程小径になるようにテーパ部２６が形成されているので、該テーパ部２６により嵌装が案内されるから、嵌装は容易に行われ得る。
【００５４】
なお、図１の（ａ）に示したように、この嵌装においては、竿側支持構造体２の光源係合部２０の筒状体２４の台形状横断面部分に、光源側支持構造体３の竿係合部４０の凹部４４の台形状横断面部分が丁度嵌る。すなわち、筒状体２４の底面２４ａが凹部４４の底面４４ａに摺接し、筒状体２４の斜面２４ｂ，２４ｃが凹部４４の斜面４４ｂ，４４ｃに摺接するので、竿側支持構造体２に対する光源側支持構造体３のＸ２方向の変位が該嵌合により案内され、且つ光源側支持構造体３の凹部４４を備えた竿係合部４０が竿側支持構造体２の光源係合部２０の筒状体２４から外れるのが実際上禁止される。
【００５５】
竿側支持構造体２の光源係合部２０に対する光源側支持構造体３の竿係合部４０のＸ２方向の嵌装は、図１の（ｃ）に示したように、係止板７が竿側支持構造体２の光源係合部２０の端面２１ａに当接する所定位置（完全嵌合位置）Ｐ１に達すると、完了する。この完全嵌装位置Ｐ１に達すると、図１の（ｃ）に示したように、光源側支持構造体３の竿係合部４０のピン係合部４７が、竿側支持構造体２の光源係合部２０８の係止ピン挿通孔２５と一直線状に整列される。従って、該孔４７，２５，４７に係止ピン８２を挿通し、該ピン８２をナット８４等で抜け止めすることにより、竿側支持構造体２の光源係合部２０に対する光源側支持構造体３の竿係合部４０への嵌着が完了する。このような嵌着処理を、全ての集魚灯光源本体９に対して行う。
【００５６】
ここで、集魚灯光源装置９１は、集魚灯光源本体９と二つの集魚灯光源取付機構１とからなる。一つの集魚灯光源装置９１を構成する集魚灯光源取付機構１の数は、集魚灯光源本体９の大きさや重さ等により異なり得る。また、集魚灯光源設備９０は、竿８と該竿８に取付けられる一つ又は複数の集魚灯光源装置９１からなる。一本の竿８に取付けられる集魚灯光源装置９１の数は、竿８の長さや太さや材質や、集魚灯光源装置９１を構成する集魚灯光源本体９の大きさや重さ等により異なり得る。
【００５７】
一方、竿８から集魚灯光源本体９を取外す場合、竿８を漁船の側部に沿って斜めに倒すか、概ね又は完全に横に倒した状態において、係止ピンと該係止ピン抜け止めナットとの螺合を解除して係止ピン８２を係止ピン挿通孔８４ないし係合孔４７，２５，４７から抜けばよい。これにより、光源側支持構造体３の竿係合部４０が竿側支持構造体２の光源係合部２０からＸ１方向に外され得る。従って、取り外しが容易且つ迅速に行われ得る。
【００５８】
なお、光源側支持構造体３の竿係合部４０と竿側支持構造体２の光源係合部２０との結合を機械的に支えるのは、台形状凹部４４を備えた竿係合部４０と台形状横断面の筒状体２４を備えた光源係合部２０との嵌合構造、係止板７による係止構造、及び係止ピン挿通孔２５，４７への係止ピン８２に挿通構造である。すなわち、竿側支持構造体２の本体４と補助取付部５とを結合するボルト６５及びナット６７の螺着力、並びに光源側支持構造体３の本体６と係止板７とを結合するボルト６１の螺着力は、光源側支持構造体３の竿係合部４０と竿側支持構造体２の光源係合部２０との結合を機械的支持に直接的に関与することから、強固に締め付けられる。一方、係止ピン８２と該係止ピン抜け止めナット８４との螺合は、光源側支持構造体３の竿係合部４０と竿側支持構造体２の光源係合部２０との嵌装による結合を確実にするための安全付与構造であって、係止ピン８２が挿通孔２５，４７に挿通されている限り、機械的支持に直接的には関与していないので、比較的緩くてもよく、その螺合解除も極めて簡単に且つ迅速に行われ得る。
【００５９】
多数のＬＥＤ７８を基板に実装した集魚灯光源本体９を集魚灯光源取付機構１により竿８に取付けてなる集魚灯光源設備９０は、図９に示したように、漁船９２に多数個設けられる。
【００６０】
なお、仮に、光源側支持構造体３の竿係合部４０を竿側支持構造体２の光源係合部２０に結合した状態のまま光源側支持構造体３を集魚灯光源本体９に取付けているボルト６３を緩めたり締めたりする必要が生じた場合であっても、この集魚灯光源設備９０では、図１の（ａ）からわかるように、ボルト６３はＹ方向にみて、竿側支持構造体２よりも外側に突出したところに位置し、ボルト６３の延在方向に直接該ボルト６３のところ（従ってランド部７４の孔７５のところ）にアクセス可能であるから、ボルト６３の更なる締付けや緩めも必要に応じて容易に行われ得る。但し、この集魚灯光源設備９０では、ボルト６３は竿側支持構造体２のＹ方向の延在範囲内にあってもよい。
【００６１】
以上においては、筒状部２４が竿側支持構造体２の光源係合部２０に設けられ、凹部４４が光源側支持構造体３の竿係合部４０に設けられた例について説明したけれども、その代わりに、筒状部２４が光源側支持構造体３の竿係合部４０に設けられ、凹部４４が竿側支持構造体２の光源係合部２０に設けられてもよい。
【００６２】
また、係止板７は上端面にある代わりに他のところに、例えば、竿側支持構造体２の光源係合部２０等の下端面に、あってもよい。
【符号の説明】
【００６３】
１  集魚灯光源取付機構
２  竿側支持構造体
３  光源側支持構造体
４  竿側支持構造体本体
５  補助取付具
６  光源側支持構造体本体
６ａ  外表面
７  係止板
８  竿
８ａ  所望部位
８ｂ  外表面
９  集魚灯光源本体（集魚灯具）
１０  竿取付部
１１  部分円筒状保持部
１２，１２Ａ，１２Ｂ  端
１３，３３    側方突出板状部
１３，１３Ａ，１３Ｂ  側方突出板状部
１４，１４Ａ，１４Ｂ  ボルト挿通孔
１５  中央部
２０  光源係合部（竿側係合構造部）
２１  胴状体
２１ａ  端
２１ｂ  短辺側側面
２１ｃ，２１ｄ  斜面（斜辺形成面）
２１ｆ  端部
２１ｇ  底辺形成面
２２  延在部
２３  貫通孔
２４  筒状体
２４ａ  底面
２４ｂ，２４ｃ  斜面
２５  係止ピン挿通孔
２６  テーパ
３１  部分円筒状保持部
３２，３２Ａ，３２Ｂ  端
３３，３３Ａ，３３Ｂ  側方突出板状部
３４，３４Ａ，３４Ｂ  ボルト挿通孔
４０  竿係合部（光源側係合構造部）
４０ａ  端
４１  底板部
４１ａ  一端
４１ｃ  外表面
４１ｆ  突出部
４２，４２Ａ，４２Ｂ  縁
４３，４３Ａ，４３Ｂ  側壁部
４３Ａ，４３Ｂ  側縁部（側壁部）
４３ａ，４３ｂ  端
４３ｆ  突出部
４４  凹部
４４ａ  底面
４４ｂ，４４ｃ  斜面
４４ｆ  突出部の凹部領域
４５，４５Ａ，４５Ｂ  内面
４６  内面
４７，４７Ａ，４７Ｂ  ピン係合孔
４８，４８Ａ，４８Ｂ  外側面
４８ａ，４８ａＡ，４８ａＢ  傾斜面
５０  光源取付部
５１  板状部
５１ａ，５１ｂ  側縁（外表面）
５１ｃ  底面
５３  ボルト挿通孔
５４，５４Ａ，５４Ｂ  延在端
６１  ボルト
６３  ボルト
６５  ボルト
６７  ナット
７０  ＬＥＤ実装基板
７１  背面
７２  放熱フィン
７３  低フィン部
７４，７４ｄ，，７４ｄＡ，７４ｄＢ，７４ｕ，７４ｕＡ，７４ｕＢ  ランド部
７５ｄ，７５ｕ  ボルト取付穴
７６，７６ｄ，７６ｕ  表面
７７  フレーム部分
７８  ＬＥＤ
７９  枠
８２  係止ピン
８４  係止ピン抜け止めナット
９０  集魚灯光源設備
９１  集魚灯光源装置
Ｐ１  所定位置（完全嵌合位置）
Ｘ，Ｙ  方向
【図１】
2014200175.tif 000003
【図２】
2014200175.tif 000004
【図３】
2014200175.tif 000005
【図４】
2014200175.tif 000006
【図５】
2014200175.tif 000007
【図６】
2014200175.tif 000008
【図７】
2014200175.tif 000009
【図８】
2014200175.tif 000010
【図９】
2014200175.tif 000011
【図１０】
2014200175.tif 000012
【図１１】
2014200175.tif 000013